(57)【特許請求の範囲】
【請求項１】
取り付け対象の筐体の開口部に蓋体を装着する蓋構造であって、  前記蓋体の閉状態で前記開口部を覆う蓋本体と、  セルフヒンジ部を介して前記蓋本体に繋がっており、前記筐体に形成された第１の係止孔に係止される第１の係合爪を有する第１の係止部と、  可撓性の屈曲部を介して前記蓋本体の前記第１の係止部に対向する側に繋がっており、前記筐体に前記第１の係止孔と対向して形成された第２の係止孔に係止される第２の係合爪を有する第２の係止部と、  前記蓋本体と前記第２の係止部との間を剛的に連結して、前記屈曲部の撓みにより前記第２の係止孔との係合が外れる方向に前記第２の係合爪が動くことを規制する連結部とを備える蓋構造。
【請求項２】
前記連結部は、前記蓋本体と前記第２の係止部との間を剛的に連結する横柱形状であることを特徴とする請求項１記載の蓋構造。
【請求項３】
前記連結部は、前記蓋本体と連結する基部が絞り込まれた形状であることを特徴とする請求項１記載の蓋構造。
【発明の詳細な説明】
【技術分野】
【０００１】  この発明は、例えば、地上波デジタル放送の暗号化データを復号するために使用されるＢＣＡＳ（ＢＳ−Ｃｏｎｄｉｔｉｏｎａｌ  Ａｃｃｅｓｓ  Ｓｙｓｔｅｍｓ）カードの挿入口を覆う蓋構造に関する。
【背景技術】
【０００２】  不正開封を防止するための蓋体としては、例えば特許文献１に開示されるものがある。この蓋体には、ヒンジ部を介して上蓋が開閉自在に連結されており、ヒンジ部に対向する位置に外周面に沿って縦方向に細長い平板状のバージンチップが設けられている。また、バージンチップは、蓋体と接続する下端接続部が細く絞って破断可能に形成されている。このような構造の蓋体において、上蓋を開けると、下端接続部が破断してバージンチップが蓋体から脱落する。これにより、不正に開封されたことを容易に知ることができる。
【先行技術文献】
【特許文献】
【０００３】
【特許文献１】特開平９−１２０５４号公報
【発明の概要】
【発明が解決しようとする課題】
【０００４】  特許文献１に代表される従来の技術では、バージンチップが脱落することで開封された痕跡を残すことはできるが、脱落したバージンチップが、機器の筐体内、もしくは周辺に設置されているその他の車載機器の内部に混入することにより、不具合が発生する可能性があるという課題があった。【０００５】  なお、例えば、車載用のデジタルテレビチューナにおいては、基本的に製品の出荷後にＢＣＡＳカードの入れ替えを行わないが、製品出荷後にＢＣＡＳカードに発生した不具合などに対応するサービス性の観点から、ＢＣＡＳカードをチューナ筐体外部から入れ替えることが可能な構造が望まれる。【０００６】  この発明は、上記のような課題を解決するためになされたもので、不要物を発生させずに開封の痕跡を残すことができる蓋構造を得ることを目的とする。
【課題を解決するための手段】
【０００７】  この発明に係る蓋構造は、取り付け対象の筐体の開口部に蓋体を装着する蓋構造であって、蓋体の閉状態で開口部を覆う蓋本体と、セルフヒンジ部を介して蓋本体に繋がっており、筐体に形成された第１の係止孔に係止される第１の係合爪を有する第１の係止部と、可撓性の屈曲部を介して蓋本体の第１の係止部に対向する側に繋がっており、筐体に第１の係止孔と対向して形成された第２の係止孔に係止される第２の係合爪を有する第２の係止部と、蓋本体と第２の係止部との間を剛的に連結して、屈曲部の撓みにより第２の係止孔との係合が外れる方向に第２の係合爪が動くことを規制する連結部とを備える。
【発明の効果】
【０００８】  この発明によれば、不要物を発生させずに開封の痕跡を残すことができるという効果がある。
【図面の簡単な説明】
【０００９】
【図１】この発明に係る蓋構造を適用した電子機器を示す図である。
【図２】この発明の実施の形態１に係る蓋構造における蓋体を示す図である。
【図３】実施の形態１に係る蓋構造における蓋体の取り付け態様を示す図である。
【図４】実施の形態１に係る蓋構造における蓋体の初回開封時の態様を示す断面図である。
【図５】実施の形態１に係る蓋構造における蓋体の開状態を示す図である。
【図６】この発明の実施の形態２に係る蓋構造における蓋体を示す図である。
【図７】実施の形態２に係る蓋構造における蓋体の取り付け態様を示す図である。
【図８】実施の形態２に係る蓋構造における蓋体の初回開封時の態様を示す断面図である。
【発明を実施するための形態】
【００１０】  以下、この発明をより詳細に説明するため、この発明を実施するための形態について、添付の図面に従って説明する。実施の形態１．  図１は、この発明に係る蓋構造を適用した電子機器を示す図であり、電子機器として、例えば車載用のデジタルテレビチューナ１を示している。デジタルテレビチューナ１は、車載アンテナを介して電波を受信してチャンネル選局を行い、暗号化されたデジタル放送データを復号して映像化処理を施した上でディスプレイやスピーカなどの出力装置へ出力する。また、ＢＣＡＳカードは、デジタル放送データを復号するための暗号鍵の生成に用いられ、デジタルテレビチューナ１の一側面に設けた挿入部２のカードスロットに挿入される。
【００１１】  この発明に係る蓋構造は、ＢＣＡＳカードの挿入部２に適用される。すなわち、挿入部２のカードスロットを覆うように蓋体３を装着することにより、カードスロットから異物がチューナ筐体内に侵入することを防止できる。また、蓋体３は、最初に取り付けた時点では、図２を用いて後述する連結部を破断しない限り開状態にすることはできない。  一方、連結部を破断すると、その切断跡からＢＣＡＳカードが不正に抜き取られたことを容易に認識できる。
【００１２】  図２は、この発明の実施の形態１に係る蓋構造における蓋体を示す図であり、図２（ａ）は蓋体３の斜視図、図２（ｂ）は蓋体３をスナップフィット部１０側から見た図、図２（ｃ）は蓋体３を係合爪６側から見た図であり、図２（ｄ）は、図２（ａ）のＡ−Ａ線での断面を示している。図２（ａ）に示すように、蓋体３は、蓋本体４に、取っ手５と一体に形成された係合爪６が可撓性の屈曲部７を介して連結されており、スナップフィット部１０がセルフヒンジ部９を介して連結されている。
【００１３】  蓋本体４は、蓋体３の閉状態で、蓋体３の取り付け対象となる筐体の開口部を覆う部分であって、例えばデジタルテレビチューナ１におけるＢＣＡＳカードのカードスロットを覆う部分となる。取っ手５は、図２（ｃ）、図２（ｄ）に示すように、係合爪６と一体に形成されており、係合爪６による係合が外れる方向に力を加えるために用いられる。
【００１４】  係合爪６は、蓋体３の取り付け対象の筐体に形成された係止孔（後述する第２の係止孔）と係合して係止される。屈曲部７は、蓋本体４の一端と取っ手５との間を連結する屈曲部であり、屈曲が広がるように撓むことで蓋本体４の一端から取っ手５を離間させる方向に付勢する。また、取っ手５に係合爪６による係合が外れる方向に力が加えられると、屈曲部７は、その屈曲が狭まるように撓む。
【００１５】  セルフヒンジ部９は、蓋本体４における取っ手５と反対側の端部に形成されて、蓋本体４とスナップフィット部１０とを連結する。このセルフヒンジ部９により、蓋本体４は、開方向および閉方向に回動することができる。なお、セルフヒンジ部９の弾性を得るために、ポリプロピレンなどの樹脂材料で蓋体３の各構成を一体に形成してもよい。
【００１６】  スナップフィット部１０は、図２（ｂ）に示すように、係合爪１０ａが形成された第１の係止部である。係合爪１０ａは、蓋体３の取り付け対象となる開口の周縁部に形成された係止孔（後述する第１の係止孔）に挿入されてスナップフィットで係止される第１の係合爪である。また、スナップフィット部１０は、一度係止孔に係止されると、破断しない限り引き抜き不可となる。
【００１７】  なお、係合爪６は、蓋体３の取り付け対象の筐体に形成された第２の係止孔に係止される第２の係合爪であり、取っ手５および係合爪６からなる構造体は、第２の係合爪を有する第２の係止部となる。  連結部８は、蓋本体４の一端と第２の係止部との間を剛的に連結して、屈曲部７の撓みにより係合が外れる方向に係合爪６が動くことを規制する連結部である。例えば、図２（ａ）に示すように、連結部８は、横柱形状の部材であり、蓋本体４のセルフヒンジ部９とは反対側の端部上面と、取っ手５の係合爪６とは反対側の部位とを剛的に連結している。
【００１８】  図３は、実施の形態１に係る蓋構造における蓋体の取り付け態様を示す図であり、図３（ａ）は、ＢＣＡＳカードの挿入部２の正面図、図３（ｂ）は、蓋体３の取り付け態様を示しており、図３（ｃ）は、蓋体３の取り付け後の様子を示している。  蓋体３の取り付け対象は、例えば図３（ａ）に示すように、デジタルテレビチューナ１における、カードスロット１１が形成された挿入部２である。係止孔１２は、挿入部２のカードスロット１１近傍に形成された第１の係止孔であり、蓋体３のスナップフィット部１０を係止する。係止孔１３は、挿入部２のカードスロット１１近傍の係止孔１２に対向して形成された第２の係止孔であり、蓋体３の第２の係止部を係止する。
【００１９】  蓋体３を取り付ける場合、まず、図３（ｂ）に示すように、筐体に対して斜め方向から第２の係止部を係止孔１３に挿入して係合爪６を係止孔１３の内壁部に引っ掛ける。  次に、スナップフィット部１０を、セルフヒンジ部９によって筐体側に若干折り曲げながら係止孔１２に嵌め込んで係止させる。これにより、図３（ｃ）に示すように、筐体側に蓋体３が取り付けられる。蓋体３は、このように係止孔１２，１３に係止されて筐体側に強固に取り付けられる。従って、屈曲部７の撓みを規制している連結部８を切断しない限り、開くことも、取り外すこともできない。すなわち、不正な開封が防止される。
【００２０】  図４は、実施の形態１に係る蓋構造における蓋体の初回開封時の態様を示す断面図である。上述のように蓋体３を取り付けると、係合爪６は、図４（ａ）に示すように、係止孔１３に引っ掛かって係止される。この係合が外れる方向への動きは、横柱形状の連結部８によって規制されるため、取っ手５に力を加えても蓋体３は開かない。  蓋体３を開けるためには、スナップフィットではない係合爪６の係合を外す必要があるので、図４（ｂ）に示すように、開封の意思をもった人がニッパなどの工具で連結部８を切断して屈曲部７が撓めるようにする必要がある。  横柱形状の連結部８が切断されると、図４（ｃ）に示すように、取っ手５にＢ方向の力を加えれば、係合爪６の係合が外れて蓋体３を開けることができる。
【００２１】  また、横柱形状の連結部８には、工具で切断した跡が残るため、開封されたことを容易に認識することができる。  さらに、切断された連結部８の一方は蓋本体４に、もう一方は取っ手５に繋がっているため、蓋体３から脱落することがない。
【００２２】  開封後の蓋体３は、図５に示すように、係合爪６の係止孔１３との係合を外し、セルフヒンジ部９により蓋本体４を回動させることで開状態となる。また、セルフヒンジ部９により挿入部２側へ蓋本体４を回動させ、屈曲部７から付勢された状態で係合爪６を係止孔１３に係止させることで閉状態となる。このように開封後も蓋として利用することが可能であり、カードスロット１１から内部に異物が侵入することを防止できる。
【００２３】  なお、上記説明では、この発明に係る蓋構造を、車載用のデジタルテレビチューナ１のＢＣＡＳカードの挿入部２に適用した場合を示したが、適用対象は、これに限定されるものではない。すなわち、不正な開封を防止したい封止箇所を有する電子機器であれば適用可能である。
【００２４】  以上のように、この実施の形態１によれば、筐体に形成された第１の係止孔に係止される第１の係合爪を有する第１の係止部と、可撓性の屈曲部を介して蓋本体の第１の係止部に対向する側に繋がっており、筐体に第１の係止孔と対向して形成された第２の係止孔に係止される第２の係合爪を有する第２の係止部と、蓋本体と第２の係止部との間を剛的に連結して、屈曲部の撓みにより第２の係止孔との係合が外れる方向に第２の係合爪が動くことを規制する連結部とを備える。このように構成することで、開封のために連結部８を切断しても、切断した連結部８の一方は蓋本体４に、もう一方は取っ手５に繋がって脱落することがないため、不要物が発生しない。また、開封の痕跡として連結部８に切断跡を残すことができるので、開封されたことを容易に認識できる。
【００２５】  また、この実施の形態１によれば、連結部が、蓋本体４と第２の係止部との間を剛的に連結する横柱であるので、取っ手５を用いた開封操作で連結部８が破断することがなく、不正な開封を防止することができる。
【００２６】実施の形態２．  図６は、この発明の実施の形態２に係る蓋構造における蓋体を示す図である。図６に示すように、蓋体３Ａは、上記実施の形態１と同様に、蓋本体４に、取っ手５と一体に形成された係合爪６が可撓性の屈曲部７を介して連結されており、スナップフィット部１０がセルフヒンジ部９を介して連結されている。  また、蓋体３Ａの連結部８ａは、上記実施の形態１と同様に、蓋本体４の一端と第２の係止部との間を剛的に連結して、屈曲部７の撓みにより係合が外れる方向に係合爪６が動くことを規制する。ただし、連結部８ａは、蓋本体４と連結する部分が絞り込まれた形状となっている。
【００２７】  図７は、実施の形態２に係る蓋構造における蓋体の取り付け態様を示す図であり、図７（ａ）は、蓋体３Ａの取り付け後の様子を示しており、図７（ｂ）は、図７（ａ）のＣ−Ｃ線での断面を示している。蓋体３Ａを筐体に取り付ける場合には、上記実施の形態１と同様に、筐体に対して斜め方向から第２の係止部を係止孔１３に挿入して係合爪６を係止孔１３の内壁部に引っ掛ける。次に、スナップフィット部１０を、セルフヒンジ部９によって筐体側に若干折り曲げながら係止孔１２に嵌め込んで係止させる。
【００２８】  上述の取り付け操作により、図７（ａ）に示すように、筐体側に蓋体３Ａが取り付けられる。このとき、図７（ｂ）に示すように、係合爪１０ａが、係止孔１２に引っ掛かって係止され、係合爪６が、係止孔１３に引っ掛かって係止される。蓋体３Ａを開けるためには、スナップフィットではない係合爪６の係合を外す必要があるので、連結部８ａを切断する必要がある。
【００２９】  図８は、実施の形態２に係る蓋構造における蓋体の初回開封時の態様を示す断面図である。上述のように蓋体３Ａを取り付けると、係合爪６は、図８（ａ）に示すように、係止孔１３に引っ掛かって係止されている。蓋体３Ａを開けるためには、上記実施の形態１と同様に、スナップフィットではない係合爪６の係合を外す必要がある。
【００３０】  実施の形態２に係る連結部８ａは、蓋本体４と連結する部分が絞り込まれた形状であるため、図８（ｂ）に示すように、取っ手５にＢ方向の力を加えることにより、絞り込まれた部分に力が集中する。これにより、さらに取っ手５に力を加えることで、最終的に、図８（ｃ）に示すように、連結部８ａが破断し、係合爪６の係合が外れて蓋体３Ａを開けることができる。
【００３１】  このように、実施の形態２に係る蓋体３Ａでは、工具で連結部８ａを切断しなくても、通常の開封操作で連結部８ａが破断して開封することができる。つまり、不正開封の防止機能はないが、破断した連結部８ａは残るため、開封されたことを容易に認識することができる。さらに、破断した連結部８ａは取っ手５に繋がっているため、蓋体３Ａから脱落することがない。
【００３２】  また、開封後の蓋体３Ａは、係合爪６の係止孔１３との係合を外し、セルフヒンジ部９により蓋本体４を回動させることで開状態となる。また、セルフヒンジ部９により挿入部２側へ蓋本体４を回動させ、屈曲部７から付勢された状態で係合爪６を係止孔１３に係止させることで閉状態となる。このように開封後も蓋として利用することが可能であり、カードスロット１１から内部に異物が侵入することを防止できる。
【００３３】  以上のように、この実施の形態２によれば、連結部が、蓋本体と連結する部分が絞り込まれた形状であるので、開封のために連結部８ａを破断しても取っ手５に繋がって脱落することがないため、不要物が発生しない。また、開封の痕跡として連結部８ａを残すことができるので、開封されたことを容易に認識できる。
【００３４】  なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３５】  この発明に係る蓋構造は、不要物を発生させずに開封の痕跡を残すことができるので、例えば、車載用のデジタルテレビチューナのＢＣＡＳカード挿入口を覆う蓋構造に好適である。
【符号の説明】
【００３６】  １  デジタルテレビチューナ、２  挿入部、３，３Ａ  蓋体、４  蓋本体、５  取っ手、６，１０ａ  係合爪、７  屈曲部、８，８ａ  連結部、９  セルフヒンジ部、１０  スナップフィット部、１１  カードスロット、１２，１３  係止孔。
【図１】
0005638172.tif 000002
【図２】
0005638172.tif 000003
【図３】
0005638172.tif 000004
【図４】
0005638172.tif 000005
【図５】
0005638172.tif 000006
【図６】
0005638172.tif 000007
【図７】
0005638172.tif 000008
【図８】
0005638172.tif 000009